(57)【特許請求の範囲】
【請求項１】
（Ａ）温度１５０℃、せん断速度１×１０７ｓｅｃ−１におけるせん断粘度が１．６ｍＰａ・ｓ以下、
（Ｂ）温度１００℃、せん断速度１×１０７ｓｅｃ−１におけるせん断粘度が３．３ｍＰａ・ｓ以下、
（Ｃ）１００℃での動粘度が２〜６ｍｍ２／ｓ、かつ４０℃での動粘度が１０〜５０ｍｍ２／ｓ、
（Ｄ）粘度指数が１２５〜１４０、％ＣＰが８６％以上、
である基油を基油全量に対し５０〜１００容量％及び重量平均分子量が１００，０００〜５００，０００のポリメタクリレート系粘度指数向上剤を２〜１０質量％含有する組成物であって、該組成物の温度１５０℃、せん断速度１×１０７ｓｅｃ−１におけるせん断粘度が２．３５〜２．７ｍＰａ・ｓであることを特徴とするディーゼルエンジン油組成物。
【請求項２】
前記組成物のＳＡＥ  Ｊ３００粘度グレードが０Ｗ−３０、５Ｗ−３０、１０Ｗ−３０、０Ｗ−２０、又は５Ｗ−２０であり、前記組成物の温度１５０℃、せん断速度１×１０７ｓｅｃ−１におけるせん断粘度が、粘度グレードＳＡＥ  Ｊ３００が０Ｗ−３０、５Ｗ−３０又は１０Ｗ−３０である場合は２．６２〜２．７ｍＰａ・ｓであり、粘度グレードＳＡＥ  Ｊ３００が０Ｗ−２０又は５Ｗ−２０である場合は２．３５〜２．５ｍＰａ・ｓである請求項１に記載のディーゼルエンジン油組成物。
【発明の詳細な説明】
【技術分野】
【０００１】
本発明は、優れた燃費低減効果を有するディーゼルエンジン油組成物に関する。
【背景技術】
【０００２】
近年、地球温暖化などの環境問題への対応として、エンジン油に対しても燃費低減効果が求められてきている。この課題を解決する技術として、有機モリブテン化合物を配合し、境界潤滑領域における摩擦係数を低減させた低粘度油（例えば、特許文献１参照）や、有機モリブデンに加え、特定のエステル系潤滑油基油を配合することにより流体潤滑領域においても省燃費効果を発現する低粘度油が見出されている（特許文献２参照）。また、特定の酸化防止剤を組み合わせることで、有機モリブテン化合物を配合せずに省燃費効果に優れる低粘度油が見出されている（特許文献３参照）。そして、すでにガソリンエンジン油では、粘度グレードＳＡＥ  Ｊ３００が５Ｗ−２０や０Ｗ−２０といった低粘度油や、さらに有機モリブデン化合物を配合した低粘度油が省燃費油として市販されている。
【０００３】
しかしながら、ディーゼルエンジンにおいては、上記のような流体潤滑領域での摩擦低減を狙ったオイルの低粘度化や境界潤滑領域における摩擦係数低減を狙った有機モリブテン化合物配合では、十分な省燃費効果が得られない傾向にある。ガソリンエンジンと比較して高負荷、高トルクであるディーゼルエンジンでは、単にオイルを低粘度化しただけでは、油膜強度不足によりオイルの耐摩耗性低下を招く恐れがあり、エンジン耐久性への影響や境界潤滑領域での摩擦増加が懸念され、これが省燃費効果へ影響するためである。また、ディーゼルエンジンにおいては燃焼生成物である煤がガソリンエンジンよりも多く発生するため、有機モリブデン化合物が十分にその効果を発揮しづらいためである。
【０００４】
ところで、エンジンの更なる省燃費性能を向上させるためには、境界潤滑領域と流体潤滑領域の摩擦をより低減することが重要である。特に、エンジン内ではあらゆるせん断速度が生じているにも関わらず、これまでのエンジン油は１５０℃で、せん断速度が１×１０６ｓｅｃ−１における粘度のみに注目したものであった。
【０００５】
そこで、本出願人はせん断速度に着目して検討し、１５０℃でせん断速度が１×１０６ｓｅｃ−１と近傍におけるせん断粘度と１５０℃でせん断速度が７×１０４ｓｅｃ−１〜１×１０５ｓｅｃ−１におけるせん断粘度を特定範囲内とすることで、省燃費性に優れる０Ｗ−３０や５Ｗ−３０のディーゼルエンジン油が得られることとを見出した（特許文献４参照。）。
【０００６】
しかしながら、最近では、エンジンがより小型化、高出力化する傾向にあり、そのせん断領域も変化していることも考えられる。そのため、小型化、高出力化したエンジンの省燃費に優れたディーゼルエンジン油の開発が望まれている。
【先行技術文献】
【特許文献】
【０００７】
【特許文献１】特開平８−３０２３７８号公報
【特許文献２】特開２００５−４１９９８号公報
【特許文献３】特開２００５−４２０７０号公報
【特許文献４】特開２００７−９９８１４号公報
【発明の概要】
【発明が解決しようとする課題】
【０００８】
本発明の目的は、優れた燃費低減効果を有するディーゼルエンジン油組成物を提供することにある。
【課題を解決するための手段】
【０００９】
本発明者らは、上記目的を達成するために鋭意検討を行った結果、特定のせん断速度におけるせん断粘度が特定範囲内である基油を基油全量に対して特定量含有する基油を用いて、優れた省燃費効果を発現できることを見出した。
すなわち、本発明は、（Ａ）温度１５０℃、せん断速度１×１０７ｓｅｃ−１近傍におけるせん断粘度が１．６ｍＰａ・ｓ以下、（Ｂ）温度１００℃、せん断速度１×１０７ｓｅｃ−１近傍におけるせん断粘度が３．３ｍＰａ・ｓ以下、（Ｃ）１００℃での動粘度が２〜１０ｍｍ２／ｓ、（Ｄ）粘度指数が１２０以上である基油を基油全量に対し５０〜１００容量％含有することを特徴とするディーゼルエンジン油組成物を提供するものであるが、特に本発明は、（Ａ）温度１５０℃、せん断速度１×１０７ｓｅｃ−１におけるせん断粘度が１．６ｍＰａ・ｓ以下、（Ｂ）温度１００℃、せん断速度１×１０７ｓｅｃ−１におけるせん断粘度が３．３ｍＰａ・ｓ以下、（Ｃ）１００℃での動粘度が２〜６ｍｍ２／ｓ、かつ４０℃での動粘度が１０〜５０ｍｍ２／ｓ、（Ｄ）粘度指数が１２５〜１４０、％ＣＰが８６％以上、である基油を基油全量に対し５０〜１００容量％及び重量平均分子量が１００，０００〜５００，０００のポリメタクリレート系粘度指数向上剤を２〜１０質量％含有する組成物であって、該組成物の温度１５０℃、せん断速度１×１０７ｓｅｃ−１におけるせん断粘度が２．３５〜２．７ｍＰａ・ｓであることを特徴とするディーゼルエンジン油組成物を提供するものである。
また、本発明は、上記ディーゼルエンジン油組成物において、前記組成物のＳＡＥ  Ｊ３００粘度グレードが０Ｗ−３０、５Ｗ−３０、１０Ｗ−３０、０Ｗ−２０、又は５Ｗ−２０であり、前記組成物の温度１５０℃、せん断速度１×１０７ｓｅｃ−１におけるせん断粘度が、粘度グレードＳＡＥ  Ｊ３００が０Ｗ−３０、５Ｗ−３０又は１０Ｗ−３０である場合は２．６２〜２．７ｍＰａ・ｓであり、粘度グレードＳＡＥ  Ｊ３００が０Ｗ−２０又は５Ｗ−２０である場合は２．３５〜２．５ｍＰａ・ｓであるディーゼルエンジン油組成物を提供するものである。
【発明の効果】
【００１０】
本発明のディーゼルエンジン油組成物は、優れた燃費低減効果を有する。
【発明を実施するための形態】
【００１１】
（１）基油
本発明のディーゼルエンジン油組成物には、基油が含有されているが、下記（Ａ）、(Ｂ)、（Ｃ）及び（Ｄ）の性状を満たす基油を基油全量に対し５０〜１００容量％含有する。
（Ａ）温度１５０℃、せん断速度１×１０７ｓｅｃ−１近傍におけるせん断粘度が１．６ｍＰａ・ｓ以下である。
（Ｂ）温度１００℃、せん断速度１×１０７ｓｅｃ−１近傍におけるせん断粘度が３．３ｍＰａ・ｓ以下である。
（Ｃ）１００℃での動粘度が２〜１０ｍｍ２／ｓである。
（Ｄ）粘度指数が１２０以上である。
【００１２】
上記（Ａ）及び（Ｂ）のせん断粘度は、それぞれ温度１５０℃と１００℃での、せん断速度１×１０７ｓｅｃ−１近傍におけるせん断粘度であり、これは、例えばＰＣＳ  Ｉｎｓｔｒｕｍｅｎｔｓ社製ＵＳＶ（Ｔｈｅ  Ｕｌｔｒａ  Ｓｈｅａｒ  Ｖｉｓｃｏｍｅｔｅｒ）を利用して測定することができる。なお、せん断速度１×１０７ｓｅｃ−１近傍とは８×１０６ｓｅｃ−１から２×１０７ｓｅｃ−１の範囲でのことであり、その全ての領域で上記記載のせん断粘度である必要はなく、上記範囲のせん断速度のいずれかの点で上記せん断粘度を示せばよい。上記範囲を外れると、エンジン内での流体潤滑領域や境界流体領域での優れた省燃費効果が発現できなくなる。
【００１３】
上記（Ｃ）の１００℃における動粘度（ＪＩＳ−Ｋ−２２８３（ＡＳＴＭ  Ｄ４４５））は、２〜１０ｍｍ２／ｓであり、好ましくは２〜７ｍｍ２／ｓ、より好ましくは２〜６ｍｍ２／ｓである。１００℃での動粘度が２ｍｍ２／ｓ未満では耐摩耗性や蒸発性に懸念があり、１０ｍｍ２／ｓを超えると燃費効果が期待できない。
上記（Ｄ）の粘度指数は１２０以上であり、好ましくは１２５以上、より好ましくは１３０以上である。１２０未満では十分な燃費効果が期待できない。一方、粘度指数の上限値に制限はないが、実質的に入手可能なものは１４０以下である。
【００１４】
４０℃での動粘度については、耐摩耗性・蒸発性・燃費効果の観点からは５〜１００ｍｍ２／ｓであることが好ましく、８〜８０ｍｍ２／ｓであることがより好ましく、１０〜５０ｍｍ２／ｓであることがさらに好ましい。
Ｎｏａｃｋ蒸発量については、蒸発性を考慮し、ＪＡＳＯ等の規格への適合性の観点からは１５％以下であることが好ましい。
【００１５】
上記の性状を満たす基油としては、鉱油であっても合成油であってもよく、ＡＰＩ基油分類のグループＩＩＩ基油(硫黄分０．０３質量％以下、飽和分９０質量％以上、粘度指数１２０以上で、主として水素化分解基油等)、グループＩＶ（ポリαオレフィン基油）、グループＶ（ＡＰＩ基油分類のグループＩ、ＩＩ、ＩＩＩ、ＩＶ以外の基油、エステル基油等）、天然ガスなどからフィッシャー・トロプシュ合成で得られたワックスを原料に水素化分解処理して得られるＧＴＬ基油などのうち、上記性状を満たす基油が挙げられる。
【００１６】
グループＩＩＩの基油は鉱油系基油であり、例えば以下の方法で製造された水素化分解基油が挙げられる。まず、原油の常圧蒸留で得られたボトム油を減圧蒸留装置で処理する。そこで得られた減圧軽油を水素化処理および水素化分解を行い、その後、軽質分、燃料分を減圧ストリッパーで除去した残渣物を得る。この残渣物を減圧蒸留し、得られた潤滑油留分を水素化脱ロウ処理、安定化処理を行い、水素化分解基油を得る。
【００１７】
グループＩＶの基油はポリαオレフィンであり、例えば、エチレンの低重合またはワックスの熱分解によって炭素数６〜１８のα−オレフィンを合成し、このα−オレフィンを重合し、水添反応を行うことによって合成されるものが挙げられる。
グループＶの基油はＡＰＩ基油のグループＩ、ＩＩ、ＩＩＩ、ＩＶ以外の基油、エステル基油等である。
また、上記性状を満たす基油の内、特にパラフィン分がより多いものが好ましく、ＡＳＴＭ  Ｄ３２３８環分析方法における％ＣＰが８２％以上であるものがより好ましい。基油中の％ＣＰのより好ましい範囲は８４％以上であり、更に好ましい範囲は８６％以上である。
【００１８】
本発明のディーゼルエンジン油組成物に用いられる基油は、上記（Ａ）、(Ｂ)、（Ｃ）及び（Ｄ）の性状を満たす基油を基油全量に対し５０〜１００容量％含有する基油である。すなわち、上記（Ａ）、(Ｂ)、（Ｃ）及び（Ｄ）の性状を満たす基油を基油全量に対し１００容量％で用いる場合は、上記（Ａ）、(Ｂ)、（Ｃ）及び（Ｄ）の性状を満たす基油を単独で用いることになり、上記（Ａ）、(Ｂ)、（Ｃ）及び（Ｄ）の性状を満たす基油を基油全量に対し１００容量％未満で用いる場合は、他の基油が含有されることになる。ただし、この「他の基油」の混合が５０容量％以上になると、本発明の効果である省燃費効果を十分に得ることができない。上記（Ａ）、(Ｂ)、（Ｃ）及び（Ｄ）の性状を満たす基油の基油全量に対する含有割合は、６０容量％以上が好ましく、７０容量％以上がより好ましく、８０容量％以上がさらに好ましい。
【００１９】
この混合できる「他の基油」としては上記で例示したグループＩＩＩ、グループＩＶ、グループＶ、ＧＴＬ基油、及びグループＩ（硫黄分０．０３質量％以上、飽和分９０質量％以下、粘度指数８０〜１２０の性状を有する基油で、主として溶剤精製基油等）、グループＩＩ（硫黄分０．０３質量％以下、飽和分９０質量％以上、粘度指数８０〜１２０の性状を有する基油で、主として高度水素化精製基油等）等が挙げられる。
【００２０】
（２）粘度指数向上剤
本発明のディーゼルエンジン油組成物は、粘度指数向上剤を含有させることが好ましい。
粘度指数向上剤は、特に限定されず、ポリメタクリレート類、ポリアクリレート類、オレフィンコポリマー類、ポリイソブチレン類、ポリアルキルスチレン類、スチレン−ブタジエン水素化共重合体類、スチレン−イソプレン水素化共重合体類、スチレン−無水マレイン酸エステル共重合体類、及びそれらに分散基を含有するもの等の公知の各種粘度指数向上剤を１種単独又は２種又は３種以上を組み合わせて用いればよい。なお、スチレン−ブタジエン水素化共重合体類は、スチレン−ブタジエン共重合体類を水素化して、残存している二重結合を飽和結合に変えたものを云い、スチレン−イソプレン水素化共重合体類は、スチレン−イソプレン共重合体類を水素化して、残存している二重結合を飽和結合に変えたものを云う。
【００２１】
このうち、より良好な省燃費性のためには、重量平均分子量（ポリスチレン換算）が１００，０００〜５００，０００であるポリメタクリレート系粘度指数向上剤を含有させることが好ましい。その際、ポリメタクリレート系粘度指数向上剤に上記で上げたような他の粘度指数向上剤を併用してもよいが、さらに良好な省燃費効果を得るためにはポリメタクリレート系粘度指数向上剤以外の粘度指数向上剤は用いないことが好ましい。なお、重量平均分子量は、装置：ＴＯＳＯＨ  ＨＬＣ−８０２０、カラム：ＴＳＫｇｅｌ  ＧＭＨＨＲ−Ｍを３本、検出器：示唆屈折検出器、移動相：ＴＨＦ、流量：１ｍｌ／ｍｉｎ、試料濃度：約１．０ｍａｓｓ％／Ｖｏｌ％
ＴＨＦ、注入量：５０μｌによって測定されたポリスチレン換算値である。ポリメタクリレート系粘度指数向上剤の重量平均分子量は、２００，０００〜４５０，０００がより好ましく、３００，０００〜４５０，０００がさらに好ましい。
【００２２】
ポリメタクリレート系粘度指数向上剤の重量平均分子量が下限値より小さいと十分な粘度指数向上効果が得られず、重量平均分子量が上限値を超えると十分なせん断安定性が得られず長期にわたりせん断を受けて低粘度化することで、耐摩耗・耐焼付き性が低下する。
ポリメタクリレート系粘度指数向上剤の配合量は、好ましくは０．５質量％以上で２０質量以下、より好ましくは２．０質量％以上で１０質量％以下である。下限値未満では十分な粘度指数向上効果を得ることができず、上限値を超えると長期にわたりせん断を受けて低粘度化することで、耐摩耗・耐焼付き性が低下する。
【００２３】
ポリメタクリレート系粘度指数向上剤は、式（１）に例として示されるメタクリル酸エステルの重合体の構造を有し、メタクリル酸エステルのみをモノマーとする重合体であっても、メタクリル酸エステルとそれ以外のモノマーとの共重合体であっても、構造の一部にポリメタクリレート以外の高分子化合物を含有するものであってもよい。また、該ポリメタクリレート系粘度指数向上剤は分子構造中にアミノ基やスルホン酸基等の極性基を有する分散型であっても、これを有する非分散型であってもよい。
これらの粘度指数向上剤は、１種を単独で使用しても、２種以上を併用してもよい。
【００２４】
【化１】
0005641764.tif 000002
（Ｒ１は水素原子又は炭素数１〜２０のアルキル基、ｋは１以上の整数である。）
【００２５】
（３）組成物の性状
本発明のディーゼルエンジン油組成物は、上記の基油を配合し、好ましくは上記のポリメタクリレート系粘度指数向上剤を配合するものであるが、良好な省燃費効果を得るためには以下のような性状であることが好ましい。
本発明のディーゼルエンジン油組成物は、粘度グレードＳＡＥ  Ｊ３００が０Ｗ−３０、５Ｗ−３０、１０Ｗ３０、０Ｗ−２０、５Ｗ−２０、０Ｗ−１０及び５Ｗ−１０の低粘度エンジン油に適している。なお、粘度グレードＳＡＥ  Ｊ３００は表１に示す。ＳＡＥ  Ｊ３００粘度グレードとは、ＳＡＥ  Ｊ３００に規定される分類であり、０Ｗ−３０、５Ｗ−３０、又は１０Ｗ−３０は、油温が低い状態においても優れた省燃費効果を発揮するマルチグレード油としての０Ｗ−３０、５Ｗ−３０又は１０Ｗ−３０である。
【００２６】
ＳＡＥ  Ｊ３００粘度グレード０Ｗ−３０は、粘度グレード０Ｗの粘度の条件と粘度グレード３０の粘度の条件の両方の条件を満たすものをいう。同様に、ＳＡＥ  Ｊ３００粘度グレード５Ｗ−３０は、粘度グレード５Ｗの粘度の条件と粘度グレード３０の粘度の条件の両方の条件を満たすものをいう。また、ＳＡＥ  Ｊ３００粘度グレード１０Ｗ−３０は、粘度グレード１０Ｗの粘度の条件と粘度グレード３０の粘度の条件の両方の条件を満たすものをいう。
ＳＡＥ  Ｊ３００粘度グレード０Ｗ−２０、５Ｗ−２０、０Ｗ−１０及び５Ｗ−１０についても、同様である。
【００２７】
本発明のディーゼルエンジン油組成物は、１５０℃、せん断速度１×１０７ｓｅｃ−１近傍におけるせん断粘度と、１５０℃、せん断速度１×１０６ｓｅｃ−１近傍におけるせん断粘度が粘度グレードによって表２に示す範囲内とすることで従来のエンジン油とよりも良好な省燃費効果を得ることができる。
なお、せん断速度１×１０７ｓｅｃ−１近傍のせん断粘度は、例えばＰＣＳ  Ｉｎｓｔｒｕｍｅｎｔｓ社製ＵＳＶ（Ｔｈｅ  Ｕｌｔｒａ  Ｓｈｅａｒ  Ｖｉｓｃｏｍｅｔｅｒ）を利用して測定することができる。また、せん断速度１×１０７ｓｅｃ−１近傍とは８×１０６ｓｅｃ−１から２×１０７ｓｅｃ−１の範囲のことで、その全ての領域で上記記載のせん断粘度である必要はなく、上記範囲のせん断速度のいずれかの点で上記せん断粘度を示せばよい。
【００２８】
一方、せん断速度１×１０６ｓｅｃ−１近傍のせん断粘度は、ＡＳＴＭ  Ｄ４６８３又はＡＳＴＭ  Ｄ５４８１によって得られるせん断速度１×１０６ｓｅｃ−１近傍でのせん断粘度である。この場合の近傍とは、ＡＳＴＭ  Ｄ４６８３の場合は、好ましくは±３％以内であり、より好ましくは±２．５％以内であることを意味し、ＡＳＴＭ  Ｄ５４８１の場合は、好ましくは１．３５×１０６〜１．４５×１０６ｓｅｃ−１であり、より好ましくは１．３８×１０６〜１．４２×１０６ｓｅｃ−１であることを意味するものとする。
【００２９】
【表１】
0005641764.tif 000003
【００３０】
【表２】
0005641764.tif 000004
【００３１】
本発明のディーゼルエンジン油組成物の４０℃での動粘度（ＪＩＳ−Ｋ−２２８３（ＡＳＴＭ  Ｄ４４５））は、通常は１０〜７０ｍｍ２／ｓであればよく、好ましくは２０〜６０ｍｍ２／ｓであり、より好ましくは３０〜５５ｍｍ２／ｓである。また、１００℃での動粘度（ＪＩＳ−Ｋ−２２８３（ＡＳＴＭ  Ｄ４４５））は、通常は４〜１２．４ｍｍ２／ｓであればよく、好ましくは５．６〜１２ｍｍ２／ｓであり、より好ましくは６．５〜１１ｍｍ２／ｓである。
また、好ましい粘度指数は１５０〜３００であり、より好ましくは１６０〜２８０であり、特に好ましくは１８０〜２５０である。
【００３２】
本発明のディーゼルエンジン油組成物中の硫酸灰分量は特に限定はないが、硫酸灰分量が多すぎると、ディーゼルパティキュレートフィルタに堆積物が生成し、ディーゼルパティキュレートフィルタの寿命が短くなる場合がある。このような観点から、本発明のディーゼルエンジン油組成物中の硫酸灰分量は１．１質量％以下とすることが好ましい。
【００３３】
（４）その他の添加剤
本発明のディーゼルエンジン油組成物は、境界潤滑域の摩擦低減効果のためにモリブデン化合物を含有させてもよい。モリブデン化合物としては、例えば、モリブテンジチオホスフェート、モリブデンジチオカーバメート、モリブテン酸アミン化合物、モリブデン長鎖脂肪族アミンなどがある。エンジン油中のモリブデン濃度は１００質量ｐｐｍ以上、１２００質量ｐｐｍ以下になるように使用することが好ましい。
また、本発明のディーゼルエンジン油組成物は、摩擦を低減させるために、長鎖脂肪酸、長鎖脂肪族アミン、長鎖脂肪酸エステル、長鎖脂肪族アルコール、及び脂肪族ポリグリセリルエーテル類などの金属を含まない摩擦調整剤を含有させることもできる。摩擦調整剤の好ましい含有量は、エンジン油の全量に対して５００質量ｐｐｍ〜５質量％である。
【００３４】
さらに、本発明のディーゼルエンジン油組成物には、本発明の目的が損なわれない範囲で、必要に応じて各種公知の添加剤、例えば、アルカリ土類金属スルホネート、アルカリ土類金属フェネート、アルカリ土類金属サリシレート、アルカリ土類金属ホスホネートなどの金属系清浄剤；アルケニルこはく酸イミド、ベンジルアミン、アルキルポリアミン、エステル化合物、極性基を持つ粘度指数向上剤など他の無灰型分散剤；リン系、硫黄系、アミン系、エステル系などの各種摩耗防止剤；２，６−ジ−ｔｅｒｔ−ブチル−ｐ−クレゾールなどのアルキルフェノール類、４，４’−メチレンビス−（２，６−ジ−ｔ−ブチルフェノール）などのビスフェノール類、ｎ−オクタデシル−３−（４’−ヒドロキシ−３’，５’−ジ−ｔｅｒｔ−ブチルフェノール）プロピオネートなどのフェノール系化合物、ナフチルアミン類やジアルキルジフェニルアミン類などの芳香族アミン化合物、モリブデン酸アミンなど有機モリブデン化合物などの各種酸化防止剤；硫化オレフィン、硫化油脂、メチルトリクロロステアレート、塩素化ナフタレン、ヨウ素化ベンジル、フルオロアルキルポリシロキサン、ナフテン酸鉛などの極圧剤；ステアリン酸を始めとするカルボン酸、ジカルボン酸、金属石鹸、カルボン酸アミン塩、重質スルホン酸の金属塩、多価アルコールのカルボン酸部分エステル、リン酸エステルなどの各種錆止め剤；ベンゾトリアゾール、ベンゾイミダゾール、チアジアゾールポリスルフィドなどの各種腐食防止剤；シリコーン油などの各種消泡剤などを１種単独で、又は２種以上組み合わせて適宜配合することができる。
【００３５】
粘度指数向上剤以外のその他の添加剤の配合量は、できるだけ少なくすることが好ましく、組成物の全量に対して、２０質量％以下が好ましく、１５質量％以下がより好ましい。
本発明のエンジン油は、ディーゼルエンジン機関用に適するが、種々のエンジン機関にも適用でき、ガソリンエンジン機関用、ガスエンジン機関用に適用することもできる。
【実施例】
【００３６】
次に、本発明を実施例によりさらに具体的に説明する。なお、本発明は、これらの例によって何ら制限されるものではない。
（測定方法）
（１）温度１５０℃、せん断速度１×１０６ｓｅｃ−１におけるせん断粘度
ＡＳＴＭ  Ｄ４６８３によってせん断粘度を測定した。
（２）温度１５０℃、せん断速度１×１０７ｓｅｃ−１におけるせん断粘度及び
温度１００℃、せん断速度１×１０７ｓｅｃ−１におけるせん断粘度
ＰＣＳ  Ｉｎｓｔｒｕｍｅｎｔｓ社製ＵＳＶ（Ｔｈｅ  Ｕｌｔｒａ  Ｓｈｅａｒ  Ｖｉｓｃｏｍｅｔｅｒ）を利用して測定した。
【００３７】
（３）動粘度
ＪＩＳ  Ｋ  ２２８３（ＡＳＴＭ  Ｄ４４５）により、測定した。
（４）粘度指数
ＪＩＳ  Ｋ  ２２８３（ＡＳＴＭ  Ｄ２２７０）により、算出した。
（５）ＮＯＡＣＫ蒸発量
ＡＳＴＭ  Ｄ  ５８００により、測定した。
（６）％ＣＰ
ＡＳＴＭ  Ｄ３２３８環分析
（７）ＳＡＥ粘度グレード
ＳＡＥ  Ｊ３００に規定される分類により判定した。
【００３８】
（８）燃費試験
試験条件１は日本国内にある４６００ｃｃのディーゼルエンジンを用いた。試験条件１は国土交通省１０・１５モードを参考にした。試験条件１において基準油の燃料消費率と比較して燃費向上率（％）を求めた。
試験条件２は日本国内にある５２００ｃｃのディーゼルエンジンを用いた。試験条件２は国土交通省のシミュレーション法を参考にして、都市内走行モード（ＪＥ０５モード）と都市間走行モードの２種のモードを用いた。試験条件１において基準油の燃料消費率と比較して燃費向上率（％）を求めた。
【００３９】
（実施例１〜３及び比較例１〜４）
基油として表３に示す性状を有する基油を用い、その基油に粘度指数向上剤を表４、表５に示した量にて配合し、さらに、その他の添加剤（Ｃａ系清浄剤、アルケニルこはく酸イミド系分散剤、耐摩耗性向上剤としてジアルキルジチオリン酸亜鉛、および酸化防止剤など）を表４及び表５に示した量にて配合して、エンジン油を製造した。
粘度指数向上剤は、ポリメタクリレート（ＰＭＡ）、エチレンプロピレン共重合体（ＯＣＰ）、及びポリメタクリレート及びエチレンプロピレン共重合体の混合タイプ（ＰＭＡ／ＯＣＰ）の分散・非分散型を配合した。なお、表中のＭｗは重量平均分子量を示す。
実施例１〜３及び比較例１〜４のエンジン油の組成、性状および試験結果を表４及び表５に示す。燃費向上率については、表４の実施例１・２及び比較例１は比較例２を基準油として試験条件１によって、また、表５の実施例３及び比較例３については比較例４を基準油として試験条件２によってそれぞれ求めた。
【００４０】
【表３】
0005641764.tif 000005
【００４１】
【表４】
0005641764.tif 000006
【００４２】
【表５】
0005641764.tif 000007